(57)【特許請求の範囲】
【請求項１】
地中の透水層からその下側に位置する不透水層にわたって設けられた地中の溝内に不透水性の固化材を注入するとともに、この固化材が凝結する前の柔らかい状態で固化材中にプレキャスト部材を挿入して、前記固化材と前記プレキャスト部材とにより壁部材を連続的に築造する地中連続壁において、
地中の前記不透水層と対応する前記プレキャスト部材の下部に設けられた一側面と他側面とを連通する透水穴と、
前記プレキャスト部材の一側面および他側面に沿って前記透水穴の上部にて上下方向に連続的に設けられた、地中の前記透水層と対応する透水溝と、
これらの透水溝の全長にわたって嵌合されて前記プレキャスト部材とともに地中に設置された通水治具を前記固化材の凝結後に引抜くことにより前記透水溝の全長にわたって前記固化材を切欠くことで前記透水溝を前記透水層に連通開口させた切欠溝と
を具備したことを特徴とする地中連続壁。
【請求項２】
透水溝に充填された透水材料
を具備したことを特徴とする請求項１記載の地中連続壁。
【請求項３】
壁部材は、鉛直状に設けられた
ことを特徴とする請求項１または２記載の地中連続壁。
【請求項４】
壁部材は、傾斜状に設けられた
ことを特徴とする請求項１または２記載の地中連続壁。
【請求項５】
下部に透水穴を設けるとともにこの透水穴の上部に透水溝を連続的に設けた壁部材と、この壁部材の透水溝に嵌合された長尺で中空の通水治具とを、一体的に地中に設置し、
壁部材の透水溝に対して通水治具のみを引抜くことにより、
通水治具の管状治具本体内に予め装填された透水材料を透水溝に充填し、
同時に、管状治具本体の先端部に設けられた溝掘削爪により透水溝から土壁側に切欠溝を開口する
ことを特徴とする地中連続壁の施工方法。
【請求項６】
壁部材は、通水治具の引抜き動作に連動して溝掘削爪を土壁側へ突出させる爪押出部を有する
ことを特徴とする請求項５記載の地中連続壁の施工方法。
【発明の詳細な説明】
【０００１】
【発明の属する技術分野】
本発明は、透水性を有する地中連続壁およびその施工方法に関する。
【０００２】
【従来の技術】
地中連続壁は、地下構造物、護岸の土留め壁、止水壁などに用いられ、その施工方法には、セメントミルクなどのセメント系掘削液を注入しながら地盤を溝状に掘削し、セメント系掘削液と土壌とを混練して、ソイルセメントの柱列壁を築造する工法や、またはベントナイト泥水などの孔壁崩壊防止液を注入しながら地盤を溝状に掘削し、トレミー管などを用いて掘削孔内の泥水とコンクリートとを置換する工法がある。もしくは、掘削孔内のセメント系掘削液などの固化材料中にプレキャスト部材を挿入して、柱列壁を築造する工法が考えられている。
【０００３】
地中連続壁を施工する際に用いるセメント系掘削液、ベントナイト泥水、コンクリートなどの固化材料は、凝結前は流動性を有し凝結後は不透水性となる性質であり、施工された地中連続壁の壁自体に後から透水性を持たせることは困難である。
【０００４】
例えば、図２１に示されるように、プレキャスト部材１に開口部２を穿設したり、その開口部２に砂、砂利などの透水材料３を充填しておいても、開口部２に凝結前のセメント系掘削液などの固化材料４が流入したり、透水材料３と掘削孔５との間に固化材料４の膜4aが生じて、壁全体としての透水性はなくなる。なお、予め固化材料４中に透水材料を混練しておいて固化させた場合は、透水材料が連続せず、同様に透水性がなくなる。
【０００５】
このように地中連続壁の透水性が損なわれるため、通常は、次のように対処している。
【０００６】
例えば、図２２に示される地下構造物を構築する場合、不透水性の地中連続壁６を、地下水脈の水流（以下、この水流を「地下水流」という）が流れる砂、礫質の透水層７を経て、粘土質の不透水層８まで挿入するように施工すると、地中連続壁６により透水層７が分断され、そのままでは、地中連続壁６の下流側で地下水位９の降下9aにより地盤沈下9bが生ずる問題がある。
【０００７】
このため、地中連続壁６の上流側と下流側とに井戸10，11をそれぞれ設け、上流側の井戸10に設置した水中ポンプ12により地下水13を汲み上げ、ホース14を経て下流側の井戸11にその水を供給し、地下水流が遮断されないようにしている。
【０００８】
また、図２３に示されるように、河川15の法面16に沿って斜めに不透水性の地中連続壁17を施工することにより地中式控え護岸を築造する場合は、地中連続壁17の裏面に作用する地下水の水位Ｌと、地中連続壁17の表面に作用する河川15の水位との間の水位差ΔＬにより浮力Ｆが生じ、地中連続壁17が浮上がる問題があるため、この不透水性の地中連続壁17を施工した後で、法面16からこの地中連続壁17に開口部18を穿設し、この開口部18に透水材料19を充填している。
【０００９】
【発明が解決しようとする課題】
このように、いずれの地中連続壁も、その連続壁の施工完了後に、改めて壁側部を掘削し、地下水流を流通させるための井戸を掘ったり、連続壁に開口部を穿設したりする必要があるため、作業が煩雑になるとともに費用がかかる問題がある。
【００１０】
本発明は、このような点に鑑みなされたもので、容易かつ安価に施工できる透水性を有する地中連続壁およびその施工方法を提供することを目的とするものである。
【００１１】
【課題を解決するための手段】
請求項１に記載された発明は、地中の透水層からその下側に位置する不透水層にわたって設けられた地中の溝内に不透水性の固化材を注入するとともに、この固化材が凝結する前の柔らかい状態で固化材中にプレキャスト部材を挿入して、前記固化材と前記プレキャスト部材とにより壁部材を連続的に築造する地中連続壁において、地中の前記不透水層と対応する前記プレキャスト部材の下部に設けられた一側面と他側面とを連通する透水穴と、前記プレキャスト部材の一側面および他側面に沿って前記透水穴の上部にて上下方向に連続的に設けられた、地中の前記透水層と対応する透水溝と、これらの透水溝の全長にわたって嵌合されて前記プレキャスト部材とともに地中に設置された通水治具を前記固化材の凝結後に引抜くことにより前記透水溝の全長にわたって前記固化材を切欠くことで前記透水溝を前記透水層に連通開口させた切欠溝とを具備した地中連続壁である。
【００１２】
これにより、プレキャスト部材に設けられた透水溝を、固化材に設けられた切欠溝を経て、透水層に連通させ、不透水層に壁部材の透水穴が位置する場合であっても、不透水層の上側に位置する一側の透水層から、この透水層と対面する一側の切欠溝、一側の透水溝、透水穴、他側の透水溝および他側の切欠溝を経て、この他側の切欠溝と対面する他側の透水層へ、地下水流が連通する。
【００１３】
請求項２に記載された発明は、請求項１記載の地中連続壁にて、透水溝に透水材料が充填されたものである。
【００１４】
これにより、透水溝が崩壊土砂などにより塞がれることがない。
【００１５】
請求項３に記載された発明は、請求項１または２記載の地中連続壁における壁部材が鉛直状に設けられたものである。
【００１６】
これにより、透水層を経て不透水層まで鉛直状に施工された壁部材が透水層の地下水流を遮断するおそれを防止する。
【００１７】
請求項４に記載された発明は、請求項１または２記載の地中連続壁における壁部材が傾斜状に設けられたものである。
【００１８】
これにより、透水層を経て不透水層まで傾斜状に施工された壁部材の一側と他側とで水位差が生じないようにし、水位差による浮力が壁部材に作用するおそれを防止する。
【００１９】
請求項５に記載された発明は、下部に透水穴を設けるとともにこの透水穴の上部に透水溝を連続的に設けた壁部材と、この壁部材の透水溝に嵌合された長尺で中空の通水治具とを、一体的に地中に設置し、壁部材の透水溝に対して通水治具のみを引抜くことにより、通水治具の管状治具本体内に予め装填された透水材料を透水溝に充填し、同時に、管状治具本体の先端部に設けられた溝掘削爪により透水溝から土壁側に切欠溝を開口する地中連続壁の施工方法である。
【００２０】
これにより、壁部材と一体的に地中に設置された通水治具を引抜くことにより、壁部材の透水溝に透水材料を充填するとともに、透水溝から土壁側に切欠溝を開口する。
【００２１】
請求項６に記載された発明は、請求項５記載の地中連続壁の施工方法における壁部材が、通水治具の引抜き動作に連動して溝掘削爪を土壁側へ突出させる爪押出部を有するものである。
【００２２】
これにより、壁部材の爪押出部が、通水治具の溝掘削爪を土壁側へ突出させて、切欠溝を形成させる。
【００２３】
【発明の実施の形態】
以下、本発明の一実施形態を図１乃至図１９を参照しながら説明する。
【００２４】
図１乃至図３は、本発明に係る地中連続壁を鉛直壁に適用した実施形態を示し、地面21に鉛直に所定深度の溝22を掘削し、この溝22内にセメント系掘削液やベントナイト泥水などの不透水性の固化材23を注入する。コンクリートなどにより矢板形に成形された不透水性のプレキャスト部材24を、凝結する前の柔らかい状態の固化材23中に多数挿入することにより、固化した固化材23とプレキャスト部材24とにより、地中に壁部材25を連続的に施工し、地中連続壁を鉛直状に築造する。
【００２５】
図１に示されるように、壁部材25を形成する矢板形のプレキャスト部材24は、一端面にＶ形の凹溝26を有し、他端面にＶ形の凸部27を有するので、隣接する各プレキャスト部材24のＶ形の凹溝26とＶ形の凸部27とを相互に嵌合させることにより、各プレキャスト部材24間を位置決めする。
【００２６】
壁部材25は、図２に示されるように、プレキャスト部材24の下部に透水Ｕ字管28が一体に組込まれ、この透水Ｕ字管28の内部に、プレキャスト部材24の一側面と他側面とを連通する透水穴29が設けられ、プレキャスト部材24の両側面および固化材23中にてこの透水穴29の上部に透水溝31が連続的に設けられ、これらの透水溝31および透水穴29には砂、砂利などの透水材料32が充填されている。この透水材料32は、透水溝31および透水穴29が崩壊土砂などにより塞がれることを防止する。
【００２７】
図３に示されるように、壁部材25に設けられた透水溝31は、壁部材25のうちの固化材23および土壁33に切欠形成された切欠溝34を介して、土壁側の透水層35に連通開口されている。
【００２８】
これにより、不透水性の固化材23およびプレキャスト部材24により透水層35を遮断するとともに、この透水層35の下側に位置する不透水層36に壁部材25の透水Ｕ字管28すなわち透水穴29が位置する場合であっても、透水層35の地下水流は壁部材25を次のように透過する。
【００２９】
すなわち、不透水層36の上側に位置する一側の透水層35から、この透水層35と対面する一側の切欠溝34、一側の透水溝31、透水Ｕ字管28内の透水穴29、他側の透水溝31および他側の切欠溝34を経て、この他側の切欠溝34と対面する他側の透水層35へ、地下水流が連通するから、透水層35を経て不透水層36まで鉛直状に施工された壁部材25が透水層35の地下水流を遮断するおそれを防止できる。
【００３０】
図４乃至図７は、前記プレキャスト部材24を示し、下部に前記透水Ｕ字管28を一体に設けるとともに、この透水Ｕ字管28の上側部に爪収納凹部37を形成し、この爪収納凹部37の上側であって、前記透水溝31を形成する半円断面の溝31a の左右両側に爪押出部38が設けられている。これらの爪収納凹部37および爪押出部38の機能は、後で説明する。
【００３１】
図８および図９は、前記プレキャスト部材24に一体的に嵌合されて地中に設置される長尺で中空の通水治具41を示す。この通水治具41は、プレキャスト部材24の半円断面の溝31a に嵌合される円形断面のパイプで形成された管状治具本体42と、この管状治具本体42の下端部近傍にピン43により回動自在に軸支された溝掘削爪44とを備えている。
【００３２】
この通水治具41の管状治具本体42は、上端部に吊り具45が一体に取付けられ、下端部に前記プレキャスト部材24の透水Ｕ字管28の開口内に嵌合される小径部46が設けられ、この小径部46の下端が開口されている。
【００３３】
前記溝掘削爪44は、図８および図９に示されるように、くの字形に形成された一対の爪板47を、図１０に示されるように、管状治具本体42の一側面および他側面にピン43により回動自在に軸支したものである。
【００３４】
図１１および図１２に示されるように、溝掘削爪44の各爪板47は、前記ピン43と嵌合する軸支部48と、その反対側に設けられた掘削エッジ49と、管状治具本体42の引抜き動作に連動してプレキャスト部材24の爪押出部38により押圧される被押圧部50とを有し、この被押圧部50が押圧されて掘削エッジ49を土壁33側へ突出させるものである。
【００３５】
そして、図１１に示されるように、下部に前記透水Ｕ字管28を設けるとともにこの透水Ｕ字管28の上部に前記半円断面の溝31a を連続的に設けたプレキャスト部材24と、このプレキャスト部材24の半円断面の溝31a に嵌合された長尺で中空の通水治具41とを、一体的に地中に設置する。このとき、通水治具41の小径部46は透水Ｕ字管28の上向きの開口部28a に嵌合されている。
【００３６】
それから、図１２に示されるように、油圧ショベルなどにより前記吊り具45に掛けられたワイヤ（図示せず）を引張って、通水治具41の管状治具本体42をプレキャスト部材24の半円断面の溝31a に沿って引抜くことにより、通水治具41の管状治具本体42内に予め装填された砂、砂利などの透水材料32を、透水穴29、および管状治具本体42の引抜跡空間としてプレキャスト部材24および固化材23に形成された透水溝31内に充填し、同時に、管状治具本体42の先端部に設けられた溝掘削爪44を壁部材25の爪押出部38により押出して土壁33側へ突出させ、この溝掘削爪44の掘削エッジ49により固化材23および対向する土壁33を切裂くように、透水溝31から土壁33側に切欠溝34を開口する。
【００３７】
次に、図１３は、鉛直の地中連続壁により形成された地下構造物を示し、この地下構造物を例に、地中連続壁の透水作用を説明する。
【００３８】
例えば、不透水性の壁部材25を、砂、礫質の透水層35を経て粘土質の不透水層36まで構築し、この壁部材25により囲まれた地面を、地下水流51の上側まで掘下げて、一定の空間を持つ作業場床52を形成した場合、左側の壁部材25の上流側に位置する透水層35の地下水流51は、この透水層35と対面する左側の切欠溝34、左側の透水溝31内の透水材料32、透水Ｕ字管28内の透水穴29、右側の透水溝31内の透水材料32および右側の切欠溝34を経て、この右側の切欠溝34と対面する作業場床52の下側の透水層35へと流れる。
【００３９】
さらに、この作業場床52の下側の透水層35の地下水流は、右側の壁部材25に設けられた左側の切欠溝34、左側の透水溝31内の透水材料32、透水Ｕ字管28内の透水穴29、右側の透水溝31内の透水材料32および右側の切欠溝34を経て、右側の壁部材25の下流側に位置する透水層35へと流れる。
【００４０】
このように、不透水性の壁部材25が透水層35を経て不透水層36まで鉛直状に施工され、しかも不透水層36内に透水Ｕ字管28が位置する場合であっても、透水層35の地下水流は、壁部材25に設けられた透水溝31、透水Ｕ字管28内の透水穴29などで形成された迂回経路を経て壁部材25を透過するので、右側の壁部材25の下流側に位置する透水層35における地下水位の降下による地盤沈下を防止できる。
【００４１】
次に、図１４乃至図１９は、本発明に係る地中連続壁を傾斜壁に適用した実施形態を示し、河川53の法面54に沿って地中連続壁を斜めに施工して地中式控え護岸を築造する例である。
【００４２】
図１４に示されるように、この地中式控え護岸は、地中に傾斜状に壁部材25が設置され、この壁部材25の下部に一側面と他側面とを連通する透水穴29を持つ透水Ｕ字管28が設けられ、壁部材25の一側面および他側面にてこの透水穴29の上部には透水溝31が連続的に設けられ、これらの透水溝31から土壁側に切欠溝34が開口されている。さらに、透水溝31には透水材料32が充填され、この透水材料32により透水溝31が崩壊土砂などにより塞がれないようにしている。
【００４３】
そして、不透水性の壁部材25が、透水層35を遮断して不透水層36まで傾斜状に施工された場合であっても、上流側の透水層35から、この透水層35と対面する一側の切欠溝34、一側の透水溝31、透水Ｕ字管28の透水穴29、他側の透水溝31および他側の切欠溝34を経て、この他側の切欠溝34と対面する下流側の透水層35へと地下水流が流れる。
【００４４】
このように、透水層35の地下水流は透水Ｕ字管28を経て迂回するように壁部材25を透過するので、この地下水流が壁部材25により遮断された場合に壁部材25を押上げようとする浮力が、壁部材25の上流側の壁面に作用するおそれを防止できる。
【００４５】
図１５乃至図１９は、図１４に示された地中式控え護岸を施工する場合の施工例を示し、図１５および図１６に示されるように、油圧ショベルにより河川に沿って表層溝55を掘削し、掘削・撹拌装置（図示せず）を、この表層溝55から河川53の法面54に沿って斜めに地中へ挿入し、地中に斜めの溝22を連続的に掘削しながら、その溝22にセメントミルク泥水などの不透水性の固化材23を注入し、この固化材23が固化しない柔らかい状態で、油圧ショベルのバケットに代えて取付けられたクランプなどによりプレキャスト部材24を把持して、柔らかい状態の固化材23中にプレキャスト部材24と、このプレキャスト部材24に一体的に取付けられた通水治具41とを挿入する。
【００４６】
前記固化材23が凝結するのを待って、図１７から図１８に示されるように、プレキャスト部材24の半円断面の溝31a に嵌合された通水治具41の管状治具本体42を、油圧ショベルなどでワイヤを介して引抜くことにより、管状治具本体42の引抜跡空間としてプレキャスト部材24および固化材23に透水溝31を形成するとともに、通水治具41の管状治具本体42内に予め装填された透水材料32を、この透水溝31内に充填し、同時に、管状治具本体42の先端部に設けられた溝掘削爪44をプレキャスト部材24の爪押出部38により押出して土壁側へ突出させ、この溝掘削爪44により固化材23および対向土壁を切開いて、透水溝31から土壁側に切欠溝34を開口する。
【００４７】
このようにして、図１９に示されるように、プレキャスト部材24の両側面にて固化材23に透水材料32が充填された壁部材25を、河川の法面に沿って連続的に施工し、透水性を有する地中控え護岸を構築する。このとき、壁部材25のうちのプレキャスト部材24に設けられた透水溝31は、壁部材25のうちの固化材23および土壁に切欠形成された切欠溝34を介して、土壁側の透水層35に連通開口されている。
【００４８】
以上のように、地中連続壁の施工時に掘削溝内に専用のプレキャスト部材24および通水治具41をセットし、固化材23の凝結後に、この通水治具41を引抜き、この際に通水治具41により土壌および不透水性の固化材23に通水可能な切欠溝34を設け、同時にこの通水治具41を引抜いた後の空洞部に透水材料32を充填することで、透水性を有する地中連続壁を容易かつ安価に施工できるようにした。
【００４９】
次に、上記実施形態と異なる他の実施形態を説明する。
【００５０】
前記通水治具41の溝掘削爪44は、プレキャスト部材24の爪押出部38を必要とするものであったが、これに限定されるものではなく、例えば図２０（Ａ），（Ｂ），（Ｃ）に示される通水治具41a のように、管状治具本体42a にピン43a により逆止爪形の溝掘削爪44a が回動自在に軸支されたものでも良い。
【００５１】
この溝掘削爪44a は、ピン43a による軸支部分から突出された側に掘削エッジ49a が設けられ、反対側に溝掘削爪44a の回動範囲を規制する係合溝50a がピン43a と同心状に形成され、この係合溝50a に管状治具本体42a から突設されたピン状のストッパ50b が係合されている。
【００５２】
そして、図２０（Ｂ）に示されるように、通水治具41a の挿入時は、溝掘削爪44a の掘削エッジ49a に土壁から上向きの摺擦抵抗力が作用するとともに、溝掘削爪44a の下側面に凝結前の固化材23から上向きの流体抵抗力がピン43a の左側で右側より多く作用するので、溝掘削爪44a は時計方向に回動し、その掘削エッジ49a は上方へ逃げるようにして管状治具本体42a の外径内に収納されるように閉じ、このとき、係合溝50a の反時計方向端がストッパ50b にて係止される。
【００５３】
一方、図２０（Ｃ）に示されるように、通水治具41a を上方へ引抜く時は、溝掘削爪44a の上側面に固化材23から下向きの抵抗力がピン43a の左側で右側より多く作用するとともに、溝掘削爪44a の掘削エッジ49a に土壁から下向きの摺擦抵抗力が作用するので、溝掘削爪44a は反時計方向に回動し、掘削エッジ49a は管状治具本体42a の外径内より突出するように開き、係合溝50a の時計方向端がストッパ50b により係止された状態で角度が固定された掘削エッジ49a により、固化材23および土壁に切欠溝34を切開くことができる。この逆止爪形の溝掘削爪44a を用いると、前記プレキャスト部材24の爪押出部38は必要なくなる。
【００５４】
また、壁部材25は、必ずしもプレキャスト部材24を含まなくても良く、例えば、現場打ちコンクリートまたはソイルセメントの場合は、鉄筋などの補強材に透水Ｕ字管28を溶接付けしておき、補強材に通水治具41を取付けておくと良い。
【００５５】
さらに、壁部材25は、固化材23とプレキャスト部材24とにより構成するので、透水溝31は、それらの一方のみに設けても良い。例えば、プレキャスト部材24に半円断面の溝31a を形成せずに、固化材23のみに管状治具本体42の引抜跡空間で形成された透水溝を設けるようにしても良い。
【００５６】
加えて、壁部材25は、地中に固化材23を注入し、この固化材23の凝結前に、プレキャスト部材24に替えて、補強材が内蔵された袋材を固化材23中に挿入し、この袋材の内部にモルタルまたはコンクリートを注入して、壁部材25を形成するようにしてもよく、その場合は、補強材に溶接付けした透水Ｕ字管28の両端部を袋材の外部に開口し、通水治具41を袋材の外部に取付けておくと良い。
【００５７】
【発明の効果】
請求項１記載の発明によれば、壁部材のプレキャスト部材に透水穴および両側の透水溝が設けられ、透水溝の全長にわたって嵌合されてプレキャスト部材とともに地中に設置された通水治具を固化材の凝結後に引抜くことにより透水溝の全長にわたって壁部材の固化材に切欠溝が設けられたから、この壁部材を透水層を経て不透水層まで施工する場合であっても、一側の透水層から一側の切欠溝、一側の透水溝、透水穴、他側の透水溝および他側の切欠溝を経て他側の透水層へ地下水流を連通させることができ、透水性を必要とする場所に適する地中連続壁を提供できる。
【００５８】
請求項２記載の発明によれば、透水溝に透水材料が充填されたから、透水溝が崩壊土砂などにより塞がれるおそれを防止できる。
【００５９】
請求項３記載の発明によれば、地下水脈を連続壁で分断することが問題となる施工に対応可能の地中連続壁を提供できる。
【００６０】
請求項４記載の発明によれば、斜め連続壁の表裏の水位差で生じる浮力が問題となる施工に対応可能の地中連続壁を提供できる。
【００６１】
請求項５記載の発明によれば、壁部材と通水治具とを一体的に地中に設置し、通水治具のみを引抜くことにより、透水材料を充填するとともに切欠溝を開口する施工方法であるから、透水性を必要とする地中連続壁を安価に施工できる。特に、通水治具を引抜くだけで、透水溝に透水材料を容易に充填できるとともに、透水溝から土壁側に切欠溝を容易に開口できる。
【００６２】
請求項６記載の発明によれば、壁部材の爪押出部により、通水治具の溝掘削爪を土壁側へ確実に突出させて、切欠溝を確実に形成できる。
【図面の簡単な説明】
【図１】  本発明に係る地中連続壁を鉛直壁に適用した実施形態を示す水平方向の断面図である。
【図２】  図１のII−II線断面図である。
【図３】  図１のIII −III 線断面図である。
【図４】  同上連続壁に用いられるプレキャスト部材の平面図である。
【図５】  同上プレキャスト部材の正面図である。
【図６】  図５のVI−VI線断面図である。
【図７】  図５のVII −VII 線断面図である。
【図８】  同上連続壁の施工に用いられる通水治具を示す正面図である。
【図９】  同上通水治具の断面図である。
【図１０】  同上通水治具の底面図である。
【図１１】  同上通水治具の設置状態を示す断面図である。
【図１２】  同上通水治具の引抜き開始状態を示す断面図である。
【図１３】  同上連続壁により形成された地下構造物を示す断面図である。
【図１４】  本発明に係る地中連続壁を傾斜壁に適用した実施形態を示す断面図である。
【図１５】  同上傾斜壁の施工において、固化材中にプレキャスト部材および通水治具を挿入する途中の状態を示す断面図である。
【図１６】  同上プレキャスト部材および通水治具の挿入を完了した状態を示す断面図である。
【図１７】  同上通水治具の引抜を開始した直後の状態を示す断面図である。
【図１８】  同上通水治具の引抜途中と引抜完了した状態を示す断面図である。
【図１９】  同上傾斜壁の施工を完了させた状態を示す断面図である。
【図２０】  （Ａ）は通水治具の他の実施形態を示す平面図、（Ｂ）はその通水治具の挿入時の溝掘削爪閉じ状態を示す正面図、（Ｃ）はその通水治具の引抜き時の溝掘削爪開き状態を示す正面図である。
【図２１】  従来の地中連続壁の施工例を示す断面図である。
【図２２】  従来の地下構造物を構築する場合の地下水流の対策例を示す断面図である。
【図２３】  従来の地中式控え護岸を築造する場合の地下水流の対策例を示す断面図である。
【符号の説明】
22    地中の溝
23    固化材
24    プレキャスト部材
25    壁部材
29    透水穴
31    透水溝
32    透水材料
34    切欠溝
35 透水層
36 不透水層
38    爪押出部
41    通水治具
42    管状治具本体
44    溝掘削爪
【図１】
0004091695.tif 000002
【図２】
0004091695.tif 000003
【図３】
0004091695.tif 000004
【図４】
0004091695.tif 000005
【図５】
0004091695.tif 000006
【図６】
0004091695.tif 000007
【図７】
0004091695.tif 000008
【図８】
0004091695.tif 000009
【図９】
0004091695.tif 000010
【図１０】
0004091695.tif 000011
【図１１】
0004091695.tif 000012
【図１２】
0004091695.tif 000013
【図１３】
0004091695.tif 000014
【図１４】
0004091695.tif 000015
【図１５】
0004091695.tif 000016
【図１６】
0004091695.tif 000017
【図１７】
0004091695.tif 000018
【図１８】
0004091695.tif 000019
【図１９】
0004091695.tif 000020
【図２０】
0004091695.tif 000021
【図２１】
0004091695.tif 000022
【図２２】
0004091695.tif 000023
【図２３】
0004091695.tif 000024